(57)【要約】【課題】塗膜転写テープの転写中に、塗膜で覆われるべき領域の視野が遮断されない塗膜転写具及び塗膜転写具用テープ転写ヘッドを提供すること。【解決手段】出口を通してハウジングから前記塗膜転写テープを案内するように、前記出口に固定されると共に、２つの垂直側壁と、垂直側壁間に連結された横隔壁パネルと、隔壁パネルの一方側で画定されたテープ供給区域と、テープ供給区域に対向する隔壁パネルの反対側で画定されたテープ巻取区域と、ハウジングの出口に固定するために後側に配置された取付構造と、垂直側壁の前部から形成されたネックと、ネックの前側に連結され、ネックより大きい横幅を有する前側プレス部と、塗膜転写テープをネックおよび取付構造で完全に延びた水平状態と湾曲した垂直状態の間で変化させるように、テープ供給区域およびテープ巻取区域に配置されたテープ幅変換ガイド手段を備えたテープ転写ヘッドとを備えたことからなる。【選択図】図２
2009090664.tif 000002
【特許請求の範囲】
【請求項１】
出口を有すると共に、テープ供給機構と、テープ巻取機構と、前記テープ供給機構上に巻き付けられ、前記テープ巻取機構まで延びる塗膜転写テープとが中に取り付けられたハウジングと、
前記出口を通して前記ハウジングから前記塗膜転写テープを案内するように、前記出口に固定されると共に、２つの垂直側壁と、前記垂直側壁間に連結された横隔壁パネルと、前記隔壁パネルの一方側で画定されたテープ供給区域と、前記テープ供給区域に対向する前記隔壁パネルの反対側で画定されたテープ巻取区域と、前記ハウジングの前記出口に固定するために後側に配置された取付構造と、前記垂直側壁の前部から形成されたネックと、前記ネックの前側に連結され、前記ネックより大きい横幅を有する前側プレス部と、前記塗膜転写テープを前記ネックおよび前記取付構造で完全に延びた水平状態と湾曲した垂直状態の間で変化させるように、前記テープ供給区域および前記テープ巻取区域に配置されたテープ幅変換ガイド手段を備えたテープ転写ヘッドとを備えたことを特徴とする塗膜転写具。
【請求項２】
出口を有すると共に、テープ供給機構と、テープ巻取機構と、前記テープ供給機構上に巻き付けられ、前記テープ巻取機構まで延び、透明なテープ基材および前記透明なテープ基材上に被覆された塗膜を含む塗膜転写テープとが中に取り付けられたハウジングと、
前記出口を通して前記ハウジングから前記塗膜転写テープを案内するように、前記出口に固定されると共に、２つの垂直側壁と、前記垂直側壁間に連結された横隔壁パネルと、前記隔壁パネルの一方側で画定されたテープ供給区域と、前記テープ供給区域に対向する前記隔壁パネルの反対側で画定されたテープ巻取区域と、前記ハウジングの前記出口に固定するために後側に配置された取付構造と、前記垂直側壁の前部から形成されたネックと、前記ネックの前側に連結され、前記ネックより大きい横幅を有する前側プレス部と、前記隔壁パネルに対して一方側で前記２つの垂直側壁の間で後部に画定されたテープ巻取ガイド路と、前記塗膜転写テープを、前記塗膜転写テープが前記ネックを通過する場合に、完全に延びた水平状態から湾曲した垂直状態まで変化させるように、また前記塗膜転写テープが前記前側プレス部の上を通過する場合に、前記湾曲した垂直状態から前記完全に延びた水平状態まで変化させるように、前記テープ供給区域および前記テープ巻取区域に配置されたテープ幅変換ガイド手段とを備えたテープ転写ヘッドとを備えた塗膜転写具であって、
前記テープ供給機構が前記塗膜転写テープを放出している場合に、前記前側プレス部は、受け取り表面に対して前記塗膜転写テープ上に押し付けられ、前記塗膜が前記透明なテープ基材から離れ、前記受け取り表面を覆うように移動され、前記透明なテープ基材は前記ネックの底部側および前記テープ巻取ガイド路を通して移動され、前記テープ巻取機構によって巻き取られることを特徴とする塗膜転写具。
【請求項３】
前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることを特徴とする請求項１または２に記載の塗膜転写具。
【請求項４】
前記各垂直側壁は円滑なアーチ状内側部を有し、前記テープ幅変換ガイド手段は、前記２つの円滑なアーチ状ガイド・フランジそれぞれの前記円滑なアーチ状内側部の間に画定された漏斗状ガイド路を備えていることを特徴とする請求項１に記載の塗膜転写具。
【請求項５】
前記完全に延びた水平状態は平らな状態であり、前記湾曲した垂直状態はＵ字形状態またはＶ字形状態であることを特徴とする請求項１または２に記載の塗膜転写具。
【請求項６】
前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することを特徴とする請求項１または２に記載の塗膜転写具。
【請求項７】
前記各垂直側壁は、前記塗膜転写テープを前記ネック内に保持するように、前記ネックの上部側に垂下している上部止めフランジを有することを特徴とする請求項２に記載の塗膜転写具。
【請求項８】
前記取付構造は、少なくとも１つのバレル、溝、位置決めブロック、および／またはその組合せを備えていることを特徴とする請求項１または２に記載の塗膜転写具。
【請求項９】
塗膜転写テープを転写するために塗膜転写具で使用するテープ転写ヘッドであって、２つの垂直側壁と、前記垂直側壁間に連結された横隔壁パネルと、前記隔壁パネルの一方側で画定されたテープ供給区域と、前記テープ供給区域に対向する前記隔壁パネルの反対側で画定されたテープ巻取区域と、前記ハウジングの前記出口に固定するために後側に配置された取付構造と、前記垂直側壁の前部から形成されたネックと、前記ネックの前側に連結され、前記ネックより大きい横幅を有する前側プレス部と、前記塗膜転写テープを前記ネックおよび前記取付構造で完全に延びた水平状態と湾曲した垂直状態の間で変化させるように、前記テープ供給区域および前記テープ巻取区域に配置されたテープ幅変換ガイド手段とを備えていることを特徴とするテープ転写ヘッド。
【請求項１０】
塗膜転写テープを転写するために塗膜転写具で使用するテープ転写ヘッドであって、２つの垂直側壁と、前記垂直側壁間に連結された横隔壁パネルと、前記隔壁パネルの一方側で画定されたテープ供給区域と、前記テープ供給区域に対向する前記隔壁パネルの反対側で画定されたテープ巻取区域と、前記ハウジングの前記出口に固定するために後側に配置された取付構造と、前記垂直側壁の前部から形成されたネックと、前記ネックの前側に連結され、前記ネックより大きい横幅を有する前側プレス部と、前記隔壁パネルに対して一方側で前記２つの垂直側壁の間で後部に画定されたテープ巻取ガイド路と、前記塗膜転写テープを、前記塗膜転写テープが前記ネックを通過する場合に、完全に延びた水平状態から湾曲した垂直状態まで変化させるように、また前記塗膜転写テープが前記前側プレス部の上を通過する場合に、前記湾曲した垂直状態から前記完全に延びた水平状態まで変化させるように、前記テープ供給区域および前記テープ巻取区域に配置されたテープ幅変換ガイド手段とを備えていることを特徴とするテープ転写ヘッド。
【請求項１１】
前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることを特徴とする請求項９または１０に記載のテープ転写ヘッド。
【請求項１２】
前記各垂直側壁は円滑なアーチ状内側部を有し、前記テープ幅変換ガイド手段は、前記２つの円滑なアーチ状ガイド・フランジそれぞれの円滑なアーチ状内側部の間に画定された漏斗状ガイド路を備えていることを特徴とする請求項９に記載のテープ転写ヘッド。
【請求項１３】
前記完全に延びた水平状態は平らな状態であり、前記湾曲した垂直状態はＵ字形状態またはＶ字形状態であることを特徴とする請求項９または１０に記載のテープ転写ヘッド。
【請求項１４】
前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することを特徴とする請求項９または１０に記載のテープ転写ヘッド。
【請求項１５】
前記各垂直側壁は、前記塗膜転写テープを前記ネック内に保持するように、前記ネックの上部側に垂下している上部止めフランジを有することを特徴とする請求項１０に記載のテープ転写ヘッド。
【請求項１６】
前記取付構造は、少なくとも１つのバレル、溝、位置決めブロック、および／またはその組合せを備えていることを特徴とする請求項９または１０に記載のテープ転写ヘッド。
【発明の詳細な説明】
【技術分野】
【０００１】
本発明は、塗膜を紙に転写するための塗膜転写具に関する。より詳細には、そのテープ転写ヘッドの配置により塗膜の塗布中に修正されるべき誤りの視野が遮断されるのを防ぐ塗膜転写具に関する。
【背景技術】
【０００２】
塗膜転写具、例えば修正テープは、タイピング、手書きまたは線画中に間違いを修正するのに使用するために、作家、製図技師または普通の学生にとってさえも必要な器具である。誤りに対して置かれるテープの一方側は、白い不透明なマスキング材料で被覆されている。テープのもう一方側に加えられる圧力により、この材料が紙に転写される。従来の消しゴムと異なり、塗膜転写具は、塗膜を誤りに転写する時に紙を損傷させない。今日、文具店または書店で異なる塗膜転写具を購入することができる。
【０００３】
基本的に、典型的な従来の塗膜転写具は、出口、テープ供給機構およびハウジングの内側に取り付けられたテープ巻取機構を有するハウジングと、ハウジングの出口から延びているテープ転写ヘッドと、塗膜で被覆されたテープ基材からなり、供給リール上に巻き付けられ、テープ巻取機構までテープ転写ヘッドの上に延びている塗膜転写テープとを備えている。塗布中、塗膜は、誤りに対するテープ転写ヘッドによってテープに加えられる圧力を受けて、テープ基材から誤りに転写される。したがって、テープ転写ヘッドは、塗膜転写具の重要の構成部品である。
【０００４】
図１は、典型的な従来の塗膜転写具を示している。図示するように、テープ転写ヘッド１０は、ハウジング２０の出口２０１から延びている。ハウジング２０は、出口２０１の近くでハウジング２０の内壁に形成された取付部、例えば取付溝２０２に固定された、位置決め装置、例えば突出フレーム１０１を有する。塗膜転写テープ２０３は、テープ転写ヘッド１０の上に延びている。テープ転写ヘッド１０は、塗膜転写テープ２０３を正しい経路に保持し、塗膜転写テープ２０３の円滑な移動を案内するように、２つの対向する横側部に対称に配置された２つの直立止め壁面１０２を有する。
【０００５】
この種類の塗膜転写具を使用したことがある人なら、テープ転写ヘッド１０の幅Ｗが、塗膜で覆われるべき部分、すなわち文字、線または線画から使用者の視野を遮断するという、塗膜転写具の欠点を知っている。塗膜を紙に転写する場合、転写される塗膜は誤りの領域全体を正確に覆わないことがある。したがって、この点における改良が必要である。
【発明の開示】
【発明が解決しようとする課題】
【０００６】
本発明は、上記問題をなくす塗膜転写具を提供するために完成された。
【０００７】
したがって、本発明の主な目的は、塗膜転写テープの転写中に塗膜で覆われるべき領域の視野が遮断されるのを防ぐ、塗膜転写具を提供することである。
【課題を解決するための手段】
【０００８】
この目的および他の目的を達成するため、および本発明の一実施形態によると、塗膜転写具はハウジングおよびテープ転写ヘッドを備えている。ハウジングは出口を有する。さらに、ハウジングは、テープ供給機構と、テープ巻取機構と、テープ供給機構の上に巻き付けられ、テープ巻取機構まで延びる塗膜転写テープとが中に取り付けられている。テープ転写ヘッドは、出口を通してハウジングから塗膜転写テープを案内するように、出口に固定されている。テープ転写ヘッドは、２つの垂直側壁と、垂直側壁間に連結された横隔壁パネルと、隔壁パネルの一方側で画定されたテープ供給区域と、テープ供給区域に対向する隔壁パネルの反対側で画定されたテープ巻取区域と、ハウジングの出口に固定するために後側に配置された取付構造と、垂直側壁の前部から形成されたネックと、ネックの前側に連結され、ネックより大きい横幅を有する前側プレス部と、塗膜転写テープをネックおよび取付構造で完全に延びた水平状態と湾曲した垂直状態の間で変化させるように、テープ供給区域およびテープ巻取区域に配置されたテープ幅変換ガイド手段とを備えている。
また、前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることが好適である。
また、前記各垂直側壁は円滑なアーチ状内側部を有し、前記テープ幅変換ガイド手段は、前記２つの円滑なアーチ状ガイド・フランジそれぞれの前記円滑なアーチ状内側部の間に画定された漏斗状ガイド路を備えていることが好適である。
また、前記完全に延びた水平状態は平らな状態であり、前記湾曲した垂直状態はＵ字形状態またはＶ字形状態であることが好適である。
また、前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することが好適である。
また、前記取付構造は、少なくとも１つのバレル、溝、位置決めブロック、および／またはその組合せを備えていることが好適である。
【０００９】
この目的および他の目的を達成するため、および本発明の一実施形態によると、塗膜転写具はハウジングおよびテープ転写ヘッドを備えている。ハウジングは出口を有する。ハウジングはまた、テープ供給機構と、テープ巻取機構と、テープ供給機構の上に巻き付けられ、テープ巻取機構まで延びている塗膜転写テープとが中に取り付けられている。塗膜転写テープは、透明なテープ基材、および透明なテープ基材上に被覆された塗膜を含んでいる。テープ転写ヘッドは、出口を通してハウジングから塗膜転写テープを案内するように、出口に固定されている。テープ転写ヘッドは、２つの垂直側壁と、垂直側壁間に連結された横隔壁パネルと、隔壁パネルの一方側で画定されたテープ供給区域と、テープ供給区域に対向する隔壁パネルの反対側で画定されたテープ巻取区域と、ハウジングの出口に固定するために後側に配置された取付構造と、垂直側壁の前部から形成されたネックと、ネックの前側に連結され、ネックより大きい横幅を有する前側プレス部と、隔壁パネルに対して一方側で２つの垂直側壁の間でその後部に画定されたテープ巻取ガイド路と、塗膜転写テープを、塗膜転写テープがネックを通過する場合に、完全に延びた水平状態から湾曲した垂直状態まで変化させるように、また塗膜転写テープが前側プレス部の上を通過する場合に、湾曲した垂直状態から完全に延びた水平状態まで変化させるように、テープ供給区域およびテープ巻取区域に配置されたテープ幅変換ガイド手段とを備えている。
また、前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることが好適である。
また、前記完全に延びた水平状態は平らな状態であり、前記湾曲した垂直状態はＵ字形状態またはＶ字形状態であることが好適である。
また、前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することが好適である。
また、前記各垂直側壁は、前記塗膜転写テープを前記ネック内に保持するように、前記ネックの上部側に垂下している上部止めフランジを有することが好適である。
また、前記取付構造は、少なくとも１つのバレル、溝、位置決めブロック、および／またはその組合せを備えていることが好適である。
【００１０】
本発明の別の目的は、塗膜転写テープの転写中に、塗膜で覆われるべき領域の視野を遮断するのを防ぐ、塗膜転写具用テープ転写ヘッドを提供することである。
【００１１】
この目的および他の目的を達成するため、および本発明の一実施形態によると、テープ転写ヘッドは、塗膜転写テープを転写する塗膜転写具で使用され、２つの垂直側壁と、垂直側壁間に連結された横隔壁パネルと、隔壁パネルの一方側で画定されたテープ供給区域と、テープ供給区域に対向する隔壁パネルの反対側で画定されたテープ巻取区域と、ハウジングの出口に固定するために後側に配置された取付構造と、垂直側壁の前部から形成されたネックと、ネックの前側に連結され、ネックより大きい横幅を有する前側プレス部と、塗膜転写テープをネックおよび取付構造で完全に延びた水平状態と湾曲した垂直状態の間で変化させるように、テープ供給区域およびテープ巻取区域に配置されたテープ幅変換ガイド手段とを備えている。
また、前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることが好適である。
また、前記各垂直側壁は円滑なアーチ状内側部を有し、前記テープ幅変換ガイド手段は、前記２つの円滑なアーチ状ガイド・フランジそれぞれの円滑なアーチ状内側部の間に画定された漏斗状ガイド路を備えていることが好適である。
また、前記完全に延びた水平状態は平らな状態であり、前記湾曲した垂直状態はＵ字形状態またはＶ字形状態であることが好適である。
また、前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することが好適である。
また、前記取付構造は、少なくとも１つのバレル、溝、位置決めブロック、および／またはその組合せを備えていることが好適である。
【００１２】
この目的および他の目的を達成するため、および本発明の一実施形態によると、テープ転写ヘッドは、塗膜転写テープを転写する塗膜転写具で使用され、２つの垂直側壁と、垂直側壁間に連結された横隔壁パネルと、隔壁パネルの一方側で画定されたテープ供給区域と、テープ供給区域に対向する隔壁パネルの反対側で画定されたテープ巻取区域と、ハウジングの出口に固定するために後側に配置された取付構造と、垂直側壁の前部から形成されたネックと、ネックの前側に連結され、ネックより大きい横幅を有する前側プレス部と、隔壁パネルに対して一方側で２つの垂直側壁の間で後部に画定されたテープ巻取ガイド路と、塗膜転写テープを、塗膜転写テープがネックを通過する場合に、完全に延びた水平状態から湾曲した垂直状態まで変化させるように、また塗膜転写テープが前側プレス部の上を通過する場合に、湾曲した垂直状態から完全に延びた水平状態まで変化させるように、テープ供給区域およびテープ巻取区域に配置されたテープ幅変換ガイド手段とを備えている。
また、前記テープ幅変換ガイド手段は、前記垂直側壁からそれぞれ突起する２つの円滑なアーチ状ガイド・フランジと、前記取付構造と前記ネックの間で前記２つの円滑なアーチ状ガイド・フランジの間に画定された漏斗状ガイド路とを備えていることが好適である。
また、前記完全に延びた水平状態は平らな状態であり、前記湾曲した垂直状態はＵ字形状態またはＶ字形状態であることが好適である。
また、前記前側プレス部は前側傾斜面と、前記前側傾斜面の２つの対向する横側部に配置され、前記塗膜転写テープの幅に対応する距離で互いに間隔を置いて配置された２つの垂直止め壁面とを有することが好適である。
また、前記各垂直側壁は、前記塗膜転写テープを前記ネック内に保持するように、前記ネックの上部側に垂下している上部止めフランジを有することが好適である。
また、前記取付構造は、少なくとも１つのバレル、溝、位置決めブロック、および／またはその組合せを備えていることが好適である。
【発明を実施するための最良の形態】
【００１３】
本発明は、以下の説明および添付の図面を参照することにより、より完全に理解することができる。
【００１４】
図２を参照すると、本発明による塗膜転写具が、ハウジング１およびテープ転写ヘッド２を備えているのが示されている。ハウジング１は、知られているテープ供給機構、および知られているテープ巻取機構（知られている機構は図示せず）が中に取り付けられている。さらに、ハウジング１は出口１１を有し、これを通してテープ転写ヘッド２がハウジング１から延びている。塗膜で被覆されたテープ基材からなり、テープ供給機構上に巻き付けられた塗膜転写テープ１２は、テープ巻取機構までテープ転写ヘッド２の上に延びており、それによってハウジング１がテープ供給および巻取機能を有する。テープ供給および巻取機能は、知られている技術分野のものであり、これに関してさらに詳細な説明は必要ない。
【００１５】
図３〜６、および再び図２を参照すると、テープ転写ヘッド２は、塗膜転写テープ１２の幅に対応する２つの対向する横側部に平行に配置された２つの垂直側壁２２と、２つの垂直側壁２２間に横方向に連結され、垂直側壁２２で上部側にテープ巻取区域２３および底部側にテープ供給区域２４を画定する隔壁パネル２１とを備えている。隔壁パネル２１は、取付構造２５が後側に固定して設けられている。本実施形態による取付構造２５は、ハウジング１の出口１１の内側で位置決め手段（図示せず）に固定するために、バレル２５１および溝２５２を備えている。図５に示すように、第１の幅Ｗ１から第２の幅Ｗ２まで塗膜転写テープ１２の幅を効果的に小さくするように、テープ供給またはテープ巻取過程中に、完全に延びた水平状態と湾曲した垂直状態の間、例えば平らな形状とＵ字またはＶ字形状の間の塗膜転写テープ１２（想像線参照）の交換を達成するために、狭く細長いネック２６は２つの垂直側壁２２から前方に延び、前側プレス部２７で終端し、ネック・ゲート２５３は、２つの垂直側壁２２の間でテープ巻取区域２３およびテープ供給区域２４のそれぞれに形成され、ネック２６に連結されている。図３に示すように、隔壁パネル２１は、ネック・ゲート２５３に向かってテープ巻取区域２３およびテープ供給区域２４からそれぞれ突出する２つの円滑なアーチ状のガイド・フランジ２１１を有し、それによって漏斗状内側ガイド路２１２は、２つの円滑なアーチ状ガイド・フランジ２１１の間でテープ巻取区域２３およびテープ供給区域２４それぞれに画定される。塗布中、塗膜転写テープ１２は、テープ供給区域２４内の漏斗状内側ガイド路２１２によって、完全に延びた水平状態から湾曲した垂直状態まで変わり、その後、前側プレス部２７の上において隔壁パネル２１およびネック２６の一方側でネック・ゲート２５３を通過し、取付構造２５に向かって隔壁パネル２１のもう一方側でネック・ゲート２５３を通過するようにされる。塗膜転写テープ１２が、ネック・ゲート２５３を通して取付構造２５に向かって前側プレス部２７の上に延びている場合、湾曲した垂直状態から完全に延びた水平状態まで変わるように、テープ巻取区域２３内で漏斗状内側ガイド路２１２によって案内され、それによってテープ巻取機構は塗膜転写テープ１２を円滑に巻き取る。
【００１６】
２つの垂直側壁２２の前部で形成されたネック２６は、ネック２６が塗膜で覆われるべき表面積全体の視野を遮断しないように、塗膜転写テープ１２の幅より小さい横幅を有する。したがって、塗膜転写テープ１２がネック２６を通して延びている場合、湾曲した垂直状態に保持される。塗膜転写テープ１２がネック２６の前側を通過する場合、２つの垂直側壁２２間に画定された漏斗状外側ガイド路２６１によって、湾曲した垂直状態と完全に延びた水平状態の間で変わるようにされる。前側プレス部２７は、漏斗状外側ガイド路２６１の前側に配置され、塗膜転写テープ１２を案内するようにその２つの遠位端にそれぞれ配置された２つの垂直止め壁面２７１を有する。２つの垂直止め壁面２７１間の間隙は、塗膜転写テープ１２が前側プレス部２７の上に円滑に延びるように、塗膜転写テープ１２の幅に対応する。前側プレス部２７はさらに、テープ供給機構およびテープ巻取機構がテープ供給および巻取機能を行うように、塗膜転写具が紙の上に移動される場合に修正されるべき受け取り表面（誤り）に対して塗膜転写テープ１２に圧力を加えるように斜面付き面２７２を有し、それによって受け取り表面（誤り）を塗膜で正確に覆うことができる。
【００１７】
図２は、組み立てられたハウジング１およびテープ転写ヘッド２を示している。塗布中、図７に示すように、テープ供給機構は塗膜転写テープ１２を放出する。この時、テープ供給区域２４内の漏斗状内側ガイド路２１２のテープ収集効果により、塗膜転写テープ１２が完全に延びた水平状態から湾曲した垂直状態まで変わり、下側ネック・ゲート２５３および中間ネック２６を通過し、塗膜転写テープ１２はその後、湾曲した垂直状態から完全に延びた水平状態まで変わり、ハウジング１の内側に向かって前側プレス部２７の上を通過するように、漏斗状外側ガイド路２６１によって案内される。したがって、狭く細長いネック２６は、塗膜で覆われるべき紙の表面積への塗膜の塗布が見えないように使用者の視野を遮断しない。塗膜を取り除いた後に、塗膜転写テープ１２のテープ基材は、ネック２６内の漏斗状外側ガイド路２６１を通して前側プレス部２７から延びており、ここで漏斗状外側ガイド路２６１は、塗膜転写テープ１２を完全に延びた水平状態から湾曲した垂直状態まで変化させ、その後、上側ネック・ゲート２５３を通して漏斗状内側ガイド路２１２まで延びており、ここで漏斗状内側ガイド路２１２は、テープ巻取機構によって受けるように、塗膜転写テープ１２を湾曲した垂直状態から完全に延びた水平状態まで変化させる。
【００１８】
図８は、本発明の第２の実施形態による塗膜転写具を示している。この第２の実施形態によると、塗膜転写具は、ハウジング３およびテープ転写ヘッド４からなっている。
【００１９】
上記第１の実施形態と同様に、この第２の実施形態によるハウジング３は、テープ供給機構およびテープ巻取機構（図示せず）が中に取り付けられている。さらに、ハウジング３は出口３１を有し、これを通してテープ転写ヘッド４はハウジング３から延びている。テープ供給機構の上に巻き付けられた、３２の参照番号で示される塗膜転写テープは、テープ巻取機構までテープ転写ヘッド４の上に延びており、それによってハウジング３がテープ供給および巻取機能を有する。塗膜転写テープ３２は、塗膜で被覆されたテープ基材からなる。テープ供給および巻取機能は、知られている技術分野のものであり、これに関してさらに詳細な説明は必要ない。
【００２０】
図９から１３、および再び図８を参照すると、テープ転写ヘッド４は、２つの垂直側壁４２と、２つの垂直側壁４２の間に横方向に連結された隔壁パネル４１とを備えている。２つの垂直側壁４２の間の後部の間隙は、塗膜転写テープ３２の幅に対応する。２つの垂直側壁４２は後部で、隔壁パネル４１の下にテープ供給区域４３、および隔壁パネル４１の上にテープ巻取区域４４を画定する。テープ転写ヘッド４はさらに、後側の近くに取付構造４５を備えている。取付構造４５は、ハウジング３の出口３１の内側でそれぞれの位置決め溝（図示せず）に固定するように、２つの垂直側壁４２からそれぞれ突起した２つの位置決めブロック４５１からなっている。別の方法では、取付構造４５は、ハウジング３の出口３１の内側でそれぞれの位置決めブロックに固定するように、２つの垂直側壁４２上にそれぞれ形成された２つの位置決め溝からなっていてもよい。図９に示すように、第１の幅Ｗ１から第２の幅Ｗ２まで塗膜転写テープ３２の幅を効果的に小さくするように、テープ供給またはテープ巻取過程中に、完全に延びた水平状態と湾曲した垂直状態の間、例えば平らな形状とＵ字またはＶ字形状の間の塗膜転写テープ３２（想像線参照）の交換を達成するために、ネック・ゲート４５３が、２つの垂直側壁４２の間に形成され、２つの垂直側壁４２の前部から形成されたネック４６に連結される。その幅を次第に減少するように変化させるように塗膜転写テープ３２を案内するために、２つの円滑に湾曲したガイド・フランジ４１１はそれぞれ、２つの垂直側壁４２から突起している。２つの円滑に湾曲したガイド・フランジ４１１は、塗膜転写テープ３２をネック４６に入る前に完全に延びた水平状態から湾曲した垂直状態に変えるように、ネック・ゲート４５３と連通して漏斗状内側ガイド路４１２をその間に画定する。
【００２１】
ハウジング３内のテープ供給機構が塗膜転写テープ３２を放出すると、テープ供給区域４３内の漏斗状内側ガイド路４１２は、塗膜転写テープ３２をネック・ゲート４５３およびネック４６に入る前に完全に延びた水平状態から湾曲した垂直状態に変えさせる。ネック４６の幅は塗膜で覆われるべき受け取り表面（誤り）より短いので、ネック４６は受け取り表面（誤り）が見えないように使用者の視野を遮断しない。４７の参照番号で示す前側プレス部上にネック４６から延びている場合、塗膜転写テープ３２は垂直側壁４２の制約がなく、直ぐに湾曲した垂直状態から完全に延びた水平状態まで延び、それによって前部プレス部４７は塗膜転写テープ３２を修正すべき受け取り表面（誤り）の上に押させることができ、その後、塗膜を受け取り表面（誤り）に接着させ、テープ基材をテープ巻取機構によって巻き取らせるように移動させることができる。さらに、各垂直側壁４２は、塗膜転写テープ３２がネック４６から落ちるのを妨げる上部止めフランジ４２１を有する。
【００２２】
前側プレス部４７は、テープ巻取区域４４に向かってある角度で傾斜し、ネック４６の底部側に連結されている。さらに、前側プレス部４７は、漏斗状内側ガイド路４１２と反対側の隔壁パネル４１の一方側で２つの垂直側壁４２の間で後部に画定された、テープ巻取ガイド路４２２を介してハウジング３の内側に向かう前側プレス部４７の上での塗膜転写テープ３２の円滑な移動を容易にするように、塗膜転写テープ３２の幅に対応する、その２つの遠位端にそれぞれ配置された２つの垂直止め壁面４７１を有し、それによってテープ巻取機構がテープ基材を円滑に巻き取ることが可能になる。前側プレス部４７の斜面付き面４７２が、修正されるべき受け取り表面（誤り）に対して塗膜転写テープ３２の上に押され、移動されると、塗膜は塗膜転写テープ３２の透明なテープ基材から離され、受け取り表面（誤り）の領域全体の上を覆い、透明なテープ基材は、受け取り表面（誤り）への塗膜の塗布を見えないように使用者の視野を遮断することなく、テープ巻取区域４４を通して移動され、テープ巻取機構によって巻き取られる。
【００２３】
図８は、組み立てられたテープ転写ヘッド４およびハウジング３を示している。塗布中、図１３に示すように、テープ供給機構は塗膜転写テープ３２を放出する。この時、テープ供給区域４３内の漏斗状内側ガイド路４１２のテープ収集効果により、塗膜転写テープ３２が完全に延びた水平状態から湾曲した垂直状態まで変わり、ネック・ゲート４５３およびネック４６を通過する。前側プレス部４７まで移動されると、塗膜転写テープ３２は２つの垂直側壁４２の制約から解放され、湾曲した垂直状態から完全に延びた水平状態まで戻り、それによって完全に延びた塗膜転写テープ３２は、塗膜を透明なテープ基材から離し、受け取り表面（誤り）の上を覆うように、前部プレス部４７によって紙の上に押し付けることができる。この時、使用者はネック４６の向こうを透明なテープ基材を透かし見て、塗膜で覆われるべき受け取り表面（誤り）を観察することができ、それによって、受け取り表面（誤り）は塗膜で正確に覆うことができる。塗膜転写テープ３２の透明なテープ基材は、２つの垂直側壁４２の間で後部においてテープ巻取ガイド路４２２内にテープ巻取区域４４を通して前側プレス部４７の上に延びており、テープ巻取機構によって円滑に巻き取られる。
【００２４】
本発明の第１の実施形態によると、テープ・ガイドの狭く細長いネックの設計により、塗膜転写テープはテープ供給区域を通過する際に幅を小さくするように垂直状態に保持されて、使用者が塗膜で覆われるべき受け取り表面（誤り）を観察することが可能になる。本発明の第２の実施形態によると、塗膜転写テープがテープ巻取区域を通して移動している場合、塗膜は取り除かれ、透明なテープ基材が完全に延びた水平状態で保持され、使用者は透明テープ基材を透かし見て、塗膜で覆われるべき受け取り表面（誤り）を観察することができる。本発明の応用例により、消す必要のない領域への塗膜の転写、または転写される塗膜の長さが消すべき部分を覆うのに不十分である場合の問題を避けるように視覚と手による位置合わせが達成される。さらに、ネックの２つの垂直側壁は、塗膜転写テープを垂直状態に保持し、テープ転写ヘッドの構造的強度を補強して、塗膜転写具の操作を容易にする。
【００２５】
本発明の特定の実施形態を例示する目的で詳細に説明したが、本発明の精神および範囲から逸脱することなく、様々な変更および改良を加えることが可能である。
【図面の簡単な説明】
【００２６】
【図１】従来技術による塗膜転写具の立面図である。
【図２】本発明の第１の実施形態による塗膜転写具の立面図である。
【図３】本発明の第１の実施形態による、塗膜転写具のテープ転写ヘッドの上部斜視立面図である。
【図４】本発明の第１の実施形態による、塗膜転写具のテープ転写ヘッドの底部斜視立面図である。
【図５】本発明の第１の実施形態による、塗膜転写具のテープ転写ヘッドの上面図である。
【図６】本発明の第１の実施形態による、テープ転写ヘッド上に延びている塗膜転写テープを示す略図である。
【図７】本発明の第１の実施形態による、塗膜転写具の応用例を示す略図である。
【図８】本発明の第２の実施形態による塗膜転写具の立面図である。
【図９】本発明の第２の実施形態による、塗膜転写具のテープ転写ヘッドの上部斜視立面図である。
【図１０】別の角度から見た場合の、図９に対応する図である。
【図１１】図９の側断面図である。
【図１２ａ】本発明の第２の実施形態による、テープ転写ヘッドの上に延びている塗膜転写テープを示す略図である。
【図１２ｂ】反対側から見た場合の、図１２ａに対応する図である。
【図１３】本発明の第２の実施形態による、塗膜転写具の応用例を示す略図である。
【符号の説明】
【００２７】
１  ハウジング
２  テープ転写ヘッド
３  ハウジング
４  テープ転写ヘッド
１０  テープ転写ヘッド
１１  出口
１２  塗膜転写テープ
２０  ハウジング
２１  隔壁パネル
２２  垂直側壁
２３  テープ巻取区域
２４  テープ供給区域
２５  取付構造
２６  ネック
２７  前側プレス部
３１  出口
３２  塗膜転写テープ
４１  隔壁パネル
４２  垂直側壁
４３  テープ供給区域
４４  テープ巻取区域
４５  取付構造
４６  ネック
４７  前側プレス部
１０１  突出フレーム
１０２  直立止め壁面
２０１  出口
２０２  取付溝
２０３  塗膜転写テープ
２１１  ガイド・フランジ
２１２  漏斗状内側ガイド路
２５１  バレル
２５２  溝
２５３  ネック・ゲート
２６１  漏斗状外側ガイド路
２７１  垂直止め壁面
２７２  斜面付き面
４１１  ガイド・フランジ
４１２  漏斗状内側ガイド路
４２１  上部止めフランジ
４２２  テープ巻取ガイド路
４５１  位置決めブロック
４５３  ネック・ゲート
４７１  垂直止め壁面
４７２  斜面付き面
Ｗ  幅
Ｗ１  第１の幅
Ｗ２  第２の幅
【図１】
2009090664.tif 000003
【図２】
2009090664.tif 000004
【図３】
2009090664.tif 000005
【図４】
2009090664.tif 000006
【図５】
2009090664.tif 000007
【図６】
2009090664.tif 000008
【図７】
2009090664.tif 000009
【図８】
2009090664.tif 000010
【図９】
2009090664.tif 000011
【図１０】
2009090664.tif 000012
【図１１】
2009090664.tif 000013
【図１２ａ】
2009090664.tif 000014
【図１２ｂ】
2009090664.tif 000015
【図１３】
2009090664.tif 000016